(57)【特許請求の範囲】
【請求項１】
ハウジングに対し揺動回転自在に保持されて流路に流体の所定の流れがないときは上記流路を塞いだ閉状態に維持される一方、流体の流れの圧力を受けて開作動する弁体を備え、この開閉作動により流体の流れを検知するように構成された流体スイッチにおいて、
上記弁体には回転支軸が両側に突出され、
上記ハウジングは第１部材と第２部材との互いの開口部を相対向させて互いに連結することにより形成され、
上記第１部材と第２部材との一方には上記両側の回転支軸が上記相対向方向から装入可能な一対の凹状溝部が一体に形成され、他方には上記両溝部内に対し上記相対向方向から内嵌可能な一対の凸部が一体に形成され、
上記一対の溝部は、上記相対向方向の第１部材側と、上記相対向方向に直交して一対の溝部を結ぶ側とにそれぞれ開口され、かつ、その溝幅が上記回転支軸の外径とほぼ同等寸法に設定され、
上記凸部と溝部とは、その溝部内に上記回転支軸を上記相対向方向から装入させた状態で上記第１部材と第２部材とを互いに連結することにより、上記凸部が溝部内に内嵌されて上記回転支軸が溝部内から脱落しないように上記溝部を封止しかつ上記回転支軸が上記凸部と溝部との両者間に挟まれて支持されるように構成されている
ことを特徴とする流体スイッチ。
【請求項２】
請求項１に記載の流体スイッチであって、
上記弁体は回転支軸となるシャフトと一体に合成樹脂成形により形成され、
上記凸部と溝部とは第１部材と第２部材とが互いに連結された状態で上記凸部の先端と上記溝部の底壁部との間に上記シャフトの両突出端部を相対回転可能に保持するように構成されている、流体スイッチ。
【請求項３】
請求項２に記載の流体スイッチであって、
上記弁体が、閉状態に維持するための重量調整用の重錘を内部に埋め込んだ状態で合成樹脂成形により一体形成されてなる、流体スイッチ。
【請求項４】
請求項２及び請求項３のいずれかに記載の流体スイッチであって、
上記弁体が、回転支軸となるシャフトの両端部のみを外部に露出させてそのシャフトを略全長にわたり内部に埋め込んだ状態で形成されている、流体スイッチ。
【請求項５】
請求項２、請求項３及び請求項４のいずれかに記載の流体スイッチであって、
上記弁体に抗菌加工を施してなる、流体スイッチ。
【請求項６】
流体を流すための配管を備えた流体加熱用の熱源機において、
上記配管に対し、請求項１〜請求項５のいずれかに記載の流体スイッチを介装してなることを特徴とする熱源機。
【発明の詳細な説明】
【０００１】
【発明の属する技術分野】
本発明は、流体用配管に介装されて配管内に所定流量の流体の流れが生じたことを検知するために用いられる流体スイッチ及びこれを備えた熱源機に関する。
【０００２】
【従来の技術】
従来、この種の流体スイッチとして、所定の重量バランスを有するフラップタイプの弁体を用いたものが知られている。これは、弁体が配管の流路に対し揺動回転自在に配設され、所定流量の流れがないときには弁体の自重に基づき上記流路を略閉止状態にした位置に位置付けられる一方、流体の流れが所定流量以上になるとその流れにより弁体が跳ね上げられ、この弁体の位置変換により電気信号が出力されて流体の流れが検知されるように構成されている。
【０００３】
上記のフラップタイプの一例として浴槽と風呂釜とを接続する追い焚き循環路に介装される流体スイッチ１０を図６に示す。この流体スイッチ１０では、下から上に流れる流路２４に対し弁体４０がシャフト４２の軸回りに揺動回転して略閉止状態と跳ね上げ状態との間を相互に位置変換可能に配設されており、所定流量の流れがないときには弁体４０の自重により上記流路２４を塞ぐように倒伏して閉状態（一点鎖線に示す状態）になる一方、流れが所定流量以上になるとその流れの圧力により上記弁体４０が跳ね上げられて開状態（実線で示す状態）になるようになっている。そして、この例では上記弁体４０に重量調整を兼ねる磁石５が一体に取り付けられており、弁体４０が跳ね上げられることにより上記磁石５の磁界が近接センサ６に作用し、この近接センサ６から発せられるＯＮ信号により所定流量の流れが生じたことを検知し得るようになっている。
【０００４】
上記の図例の弁体４０は図７に詳細を示すように、金属板を折曲加工した弁体本体４０１と、磁石５を収納した合成樹脂製容器４０２と、例えば銅製のカシメピン４０３と、上記弁体本体４０１に挿通される回転支軸となるシャフト４２とから構成されている。かかる弁体４０は、上記弁体本体４０１に対し磁石５を収納させた容器４０２を位置決めし、この位置決めした状態でカシメピン４０３を取付孔４０４に貫通させて突出端をカシメ固定することにより組み立てられる。そして、組み立てられた弁体４０に対しシャフト４２を挿通し、このシャフト４２の両端部を蓋体３０の凹状の受け部３０１に内嵌させた状態でシャフト４２の中央部をネジ３０２頭部のワッシャー３０３で締め付けて脱落しないように固定する。この後、弁体４０が装着された蓋体３０をハウジング本体２０に固定することにより、水流スイッチ１０の組み付けが完了する。この構造では、上記のワッシャー３０３及びネジ３０２頭部と干渉しないように弁体４０の基端側には切欠部４０５の形成が必要になる。
【０００５】
【発明が解決しようとする課題】
ところが、上記の流体スイッチ１０においては、弁体４０自体に角部やエッジ部等の細かな突起が比較的多く存在し、これらに対し流路２４を流れる流体に含まれる微細な異物等がからみついて付着堆積し、位置変換の支障要因を増大させて作動不良や誤動作を招くおそれがある一方、構成部品の部品点数が多くて組み立てに手間がかかるという不都合がある。加えて、上記弁体４０の回転支持部においては流路２４に臨んでシャフト４２やワッシャー３０３付きのネジ３０２の頭部あるいは上記切欠部４０５等により複雑な形状部分を生じさせることになるため、上記の異物等のからみつきに起因する作動不良や誤動作のおそれは、より高まることになる。
【０００６】
特に、流体スイッチ１０を浴槽と風呂釜とを接続する追い焚き循環路に介装した場合には、その追い焚き循環路に流れる流体である浴槽内の湯水には入浴により脱落した髪の毛、タオルの繊維屑又は湯垢等が含まれるため、上記突起や複雑な形状部分が流路に臨んで存在すると上記髪の毛等がからみつき易く、このからみつきに起因して位置変換の作動不良をより招き易くなる。
【０００７】
本発明は、このような事情に鑑みてなされたものであり、その目的とするところは、誤動作のおそれを可及的に排除し、併せて部品点数を可及的に削減した流体スイッチを提供することにある。
【０００８】
（削除）
【０００９】
（削除）
【００１０】
（削除）
【００１１】
【課題を解決するための手段】
上記目的を達成するために、請求項１に係る発明では、ハウジングに対し揺動回転自在に保持されて流路に流体の所定の流れがないときは上記流路を塞いだ閉状態に維持される一方、流体の流れの圧力を受けて開作動する弁体を備え、この開閉作動により流体の流れを検知するように構成された流体スイッチを対象として、以下の特定事項を備えることとした。すなわち、上記弁体に回転支軸を両側に突出させ、上記ハウジングとして第１部材と第２部材との互いの開口部を相対向させて互いに連結することにより形成されるものとする。加えて、上記第１部材と第２部材との一方に対し上記両側の回転支軸が上記相対向方向から装入可能な一対の凹状溝部を一体に形成し、他方に対し上記両溝部内に上記相対向方向から内嵌可能な一対の凸部を一体に形成する。そして、上記一対の溝部を、上記相対向方向の第１部材側と、上記相対向方向に直交して一対の溝部を結ぶ側とにそれぞれ開口させ、かつ、その溝幅を上記回転支軸の外径とほぼ同等寸法に設定し、上記凸部と溝部とを、その溝部内に上記回転支軸を上記相対向方向から装入させた状態で上記第１部材と第２部材とを互いに連結させることにより、上記凸部が溝部内に内嵌されて上記回転支軸が溝部内から脱落しないように上記溝部を封止しかつ上記回転支軸が上記凸部と溝部との両者間に挟まれて支持される構成とする。
【００１２】
この請求項１に係る発明によれば、弁体の両側から突出している回転支軸を一対の溝部内に装入した状態で第１部材と第２部材とを互いに連結すれば、この連結作業により一対の凸部が上記溝部内に内嵌して上記回転支軸が脱落しないように保持されることになる。つまり、上記第１部材と第２部材とを組み付ければ、この組み付けと同時に、弁体をハウジングの内部で揺動回転可能に保持し得ることになる。これにより、組み付け工数の大幅な低減を実現して容易に組み付け可能となる。しかも、弁体の回転支軸を保持する溝部と凸部とがハウジングを構成する第１部材及び第２部材の内面にそれぞれ一体に形成されているため、ハウジングの内部空間、つまり流体の流路に臨む空間に弁体の回転支持部のために従来の如き複雑な形状部分の存在を排して単純な形状にすることが可能となる。これにより、流路に流れる流体中に微細な異物や髪の毛等の繊維状のものが含まれていても、上記回転支持部に付着したりからみついたりすることを可及的に防止して、それらに起因する回転作動不良の発生を確実に回避し得る。このため、作動不良や誤作動の発生を直接的にかつ確実に防止することが可能になる。
【００１３】
上記の場合、弁体と回転支軸とを互いに相対回転自在に組み付ける場合には、上記の凸部と溝部とにより両者間に挟まれる回転支軸をきつく保持させれば、所定位置に固定した回転支軸に対し弁体が揺動回転可能に支持されることになる。また、上記弁体と回転支軸とを互いに固定（相対回転不能状態）する場合には、上記の凸部と溝部とにより両者間に挟まれる回転支軸を緩く保持させれば、弁体及び回転支軸の全体がハウジング側で相対回転可能に支持されることになる。
【００１４】
上記の請求項１においては、弁体自体を金属板により形成したとしても、あるいは、回転支軸を弁体に対し相対回転可能として上記溝部と凸部とにより相対回転不能な状態に保持させるようにしたとしても、上記の如く回転支持部におけるからみつきの防止により回転作動不良等の発生を直接的に防止し得るものであるが、次の構成を採用することにより、組み付け工数のより低減化と共に作動不良や誤作動の防止をより一層確実なものとなし得る。すなわち、上記弁体を回転支軸となるシャフトと一体に合成樹脂成形により形成し、上記凸部と溝部として、第１部材と第２部材とが互いに連結された状態で上記凸部の先端と上記溝部の底壁部との間に上記シャフトの両突出端部を相対回転可能に保持する構成とする（請求項２）。
【００１５】
このようにすることにより、弁体とシャフトとは一体に形成されて弁体とシャフトとの組み付け工数を削減し得る上に、弁体とシャフトとは相対回転不能に固定され、そのシャフトの両突出端部である回転支軸が上記溝部と凸部とにより相対回転可能に保持されることになる。このため、回転摺動部がハウジングの内面に沿った位置に配設されることになり、弁体に対しシャフトを遊嵌させて相対回転自在にして回転摺動部がハウジング内の流体の流れと直接に接触することになる場合と比べ、からみつき等による回転作動不良の発生をより可及的に防止し得ることになる。
【００１６】
この請求項２の構成に加え、さらに、上記弁体を、閉状態に維持するための重量調整用の重錘を内部に埋め込んだ状態で合成樹脂成形により一体形成する構成を採用することにより（請求項３）、弁体自体の外表面から突起等の存在を排して上記からみつき等に起因する作動不良等の発生をより一層可及的に防止し得ることになる。
【００１７】
さらに、合成樹脂成形により弁体を形成する上記の請求項２及び請求項３のいずれかの流体スイッチにおいては、上記弁体として、回転支軸となるシャフトの両端部のみを外部に露出させてそのシャフトを略全長にわたり内部に埋め込んだ状態で形成する構成をさらに追加するようにしてもよい（請求項４）。このようにすることにより、従来の場合の切欠部の存在や、シャフトと弁体との間の微小な隙間の存在等を排して、繊維状の異物がからみつく要因を可及的に除去して作動不良等の発生をより一層確実に回避し得る。
【００１８】
なお、この請求項４の場合を加えて上記の合成樹脂成形により弁体を形成する流体スイッチにおいては、その弁体に抗菌加工を施すようにすることもできる（請求項５）。例えば、抗菌剤を含浸させた合成樹脂を用いて弁体を成形したり、成形された合成樹脂製弁体の外表面に抗菌皮膜を形成したりすればよい。これにより、弁体への菌の付着や繁殖を防止し得る。
【００１９】
一方、請求項６に係る発明では、流体を流すための配管を備えた流体加熱用の熱源機を対象として、上記配管に対し、請求項１〜請求項５のいずれかに記載の流体スイッチを介装してなるものとした。
【００２０】
この請求項６によれば、上記流体スイッチにより作動不良や誤動作等の発生が確実に防止され、配管内に流体の流れが生じたときには上記流体スイッチからの検知信号を受けてその流れの発生を熱源機側で確実に検知し得ることになる。このため、熱源機やこの熱源機を構成する機器類の各作動状況の確認、作動異常の発生の検知、あるいは、流体の流れの発生に基づく上記機器類の作動開始制御等を確実に行い得る熱源機とすることが可能になる。
【００２１】
このような「熱源機」としては、例えば風呂釜、もしくは、湯張りが可能な給湯器付き風呂釜、あるいは、温水を循環させて暖房を行う温水暖房器等があり、特に循環のための配管内を流体がポンプ等により強制循環されるタイプの熱源機においてその流体の強制循環流の発生を検知するために上記流体スイッチが用いられるものに好適に適用される。
【００２２】
（削除）
【００２３】
（削除）
【００２４】
【発明の効果】
以上、説明したように、請求項１〜請求項５のいずれかの流体スイッチによれば、流体スイッチにおける弁体の回転支持部構造として、従来の如き複雑な形状部分の存在を排して単純な形状にすることができ、これにより、からみつき等に起因する作動不良や誤作動等の発生を確実に防止し得るものを提供することができる。その上に、その回転支持部構造の組み付けを第１部材と第２部材とを組み付けさえすればその組み付けと同時に完了させることができ、従来の組み付け工数よりも大幅な低減を実現させて容易な組み付けを実現させることができる。
【００２５】
特に、請求項２によれば、弁体とシャフトとが一体に形成されるため弁体とシャフトとの組み付け工数を削減することができる上に、弁体と一体とされたシャフトの回転支持部におけるからみつき等による回転作動不良の発生をより可及的に防止することができるようになる。
【００２６】
請求項３によれば、請求項２の弁体を重量調整用の重錘が内部に埋め込まれた状態で合成樹脂成形により一体形成することにより、弁体自体の外表面から突起等の存在を排して上記のからみつき等に起因する作動不良等の発生をより一層可及的に防止することができようになる。
【００２７】
請求項４によれば、従来の場合の切欠部の存在や、シャフトと弁体との間の微小な隙間の存在等を排して、繊維状の異物がからみつく要因を可及的に除去することができ、これにより、作動不良等の発生をより一層確実に回避することができるようになる。
【００２８】
請求項５によれば、流路に介装される流体スイッチの弁体として、菌の付着や繁殖を防止したものとすることができる。
【００２９】
また、請求項６の熱源機によれば、請求項１〜請求項５のいずれかの流体スイッチを備えることにより作動不良や誤動作等の発生を確実に防止して、配管内に流体の流れが生じたときには上記流体スイッチからの検知信号を受けてその流れの発生を熱源機側で確実に検知することができるようになる。このため、風呂釜等の熱源機として、熱源機やこの熱源機を構成する機器類の各作動状況の確認、作動異常の発生の検知、あるいは、流体の流れの発生に基づく上記機器類の作動開始制御等が確実に行い得るものを提供することができる。
【００３０】
【発明の実施の形態】
以下、本発明の実施形態を図面に基づいて説明する。
【００３１】
図１は、本発明の第１実施形態に係る流体スイッチ１の縦断面図を示す。この流体スイッチ１は水流スイッチともいわれるものであり、同図において、２はハウジングを構成する第１部材としてのハウジング本体、３は同じくハウジングを構成する第２部材としての蓋体、４は弁体、５は弁体に埋め込まれた磁石、６はこの磁石５の磁界を受けてＯＮ信号を出力する近接センサである。
【００３２】
上記ハウジング本体２は、下向きに開口する流入口２１と、上部位置で横向きに開口する流出口２２と、上下中間位置において横向き（図１において右横向き）に開口する開口部２３とを備えたものであり、そして、上記流入口２１から流出口２２までの間が流路２４とされ、流体はこの流路２４に対し上向きに流されるようになっている。また、上記流路２４には閉状態（図１に一点鎖線で示す状態）の上記弁体４に対し流体が流れた際に流体圧を作用させるように通孔２５が形成され、この通孔２５の上側位置の近傍には上記閉状態の弁体４が当接する当接部２６が形成されている。この当接部２６は、上記弁体４が閉状態になっても上記通孔２５を完全に密閉状態にはせずに流入口２１側と流出口２２側とを若干量連通状態に維持させるために設けられたものである。
【００３３】
上記蓋体３は上部に上記近接センサ６が例えば割りピン６１により脱落しないように収容され、内部に上記弁体４の基端部側を収容する収容空間３１が形成されている。この収容空間３１は横向き（図１において左横向き）に上記開口部２３と同等サイズで開口されており、この開口部３２を上記開口部２３と相対向させて両者間にシール材３３を介した状態でハウジング本体２に対し蓋体３をネジ３４で連結することにより、ハウジング１が組み付けられるようになっている。上記の相対向させる方向（図１においては同図の左右方向）のことを以後相対向方向という。
【００３４】
上記弁体４は、図２にも示すように側面視でへの字状の全体形状を有する本体４１と、先端縁４１ａへの屈曲部上の凸状部４１ｂ内に埋め込み固定された磁石５と、基端部４１ｃ内に埋め込み固定された回転支軸となるシャフト４２とからなり、これらが合成樹脂成形により一体に形成されている。この合成樹脂成形は成形型のキャビティの所定位置に上記磁石５とシャフト４２とをインサート材として配置した上で溶融状態の合成樹脂を流し込んで硬化させればよい。この合成樹脂成形により上記凸状部４１ｂや先端縁４１ｃを含む本体４１の全体が滑らかな外表面を有するように形成され、基端部４１ｃの両側からシャフトの各端部が回転支軸４３，４３（図３も併せて参照）として突出することになる。なお、図２及び図１中の符号３６は蓋体３に一体に形成された当止部であり、この当止部３６は弁体４が上向きに跳ね上げられたときに凸状部４１ｂが突き当たるようになっている。このようにすることにより、突き当たる際の騒音抑制を図るようにしている。
【００３５】
再度、上記ハウジング本体２と、蓋体３との説明に戻ると、ハウジング本体２の両側の内側面には図３に示すように上記相対向方向（図３においては同図の上下方向）に横向きに延びて開口部２３から蓋体３の側に突出する一対の凸条部２７が形成されている。一方、上記蓋体３の両側の内側面には上記相対向方向に延びる一対の凹状の溝部３５，３５が形成されている。この各溝部３５は、図４（ａ）に示すように上記相対向方向（図４においては同図の左右方向）のハウジング本体２の側と、上記相対向方向に直交して一対の溝部３５，３５を結ぶ側とにそれぞれ開口され、上記相対向方向のハウジング本体２の側とは逆の側がＵの字状の底壁部３５１とされている。
【００３６】
上記各溝部３５はその溝幅が上記回転支軸４３の外径よりも微小寸法だけ大きいものの上記外径とほぼ同等の寸法に設定されており、上記各凸条部２７の突出端には段部を介して上記溝部３５に内嵌し得る凸部２７１が形成されている。また、上記各凸部２７１は図４（ｂ）に示すように蓋体３をハウジング本体２に対しネジ３４（図１参照）で連結することにより上記溝部３５に内嵌して回転支軸４３を相対回転自在に保持するように位置付けられている。そして、上記の連結が完了した状態では、凸部２７１の先端と上記底壁部３５１との間に上記回転支軸４３の外径よりも微小寸法だけ大きい間隔のスペースを残した状態で凸部２７１が内嵌し、これにより、上記回転支軸４３，４３を相対回転自在に保持する回転支持部が形成されるようになっている。
【００３７】
なお、図１中の符号２９はサーミスタ等の温度センサであり、この温度センサ２９により流路２４を流れる流体の温度が検出されるようになっている。
【００３８】
以上の構成の流体スイッチ１の組み付けは、まず上記弁体４を合成樹脂成形により形成し、その回転支軸４３，４３を蓋体３の溝部３５，３５（図２参照）に装入する。そして、この装入した状態で、シール材３３を間に仮付けしたハウジング本体２の開口部２３から弁体４を流路２４内に差し込みつつ、例えば蓋体３の位置決め突起３７，３７（図２参照）をハウジング本体２側の図示省略の孔にはめ込むようにネジ３４で連結させる。すると、この連結と同時に両凸部２７１，２７１が上記溝部３５，３５に内嵌して上記回転支軸４３，４３が溝部の底壁部３５１側に位置付けられて相対回転自在に保持されることになる。以上で組み付けが完了する。
【００３９】
そして、流体スイッチ１が配管の途中に介装されると、流体の流れがないかその流れが所定流量未満の僅かなものであれば弁体４は磁石５等の自重により倒伏して通孔２５を塞いだ閉状態（図１に一点鎖線で示す状態）となる一方、所定流量以上の流れが生じればその流体の流れの圧力を通孔２５から上向きに受けて弁体４が揺動回転により跳ね上げられて開状態（図１に実線で示す状態）に位置変換されることになる。この開状態になると磁石５の磁界が近接センサ６に及び、近接センサ６はこの磁界を受けてＯＮ信号を出力することになる。このＯＮ信号により所定流量以上の流体の流れが生じたことが検知されることになる。そして、流体の流れが再び所定流量未満になると、上記磁石５等の自重と流体の圧力との重量バランスにより弁体４が上記とは逆向きの揺動回転により再び倒伏して閉状態になる。すなわち、弁体４の先端縁４１ａが当接部２６に当接して静止状態になる。なお、上記の弁体４の揺動回転はその回転支軸４３，４３自体が各溝部３５と凸部２７１との間の回転支持部において回転摺動することにより行われる。
【００４０】
このような流体スイッチ１の場合には、流路２４に臨む弁体４の基端側においてシャフト４２は上記弁体４自体に埋め込まれ露出しておらず、加えてその回転支軸４３，４３が蓋体３の内側面の回転支持部により保持されて、流路２４に臨む部分に従来の流体スイッチ１０（図６参照）やその弁体４０（図６及び図７参照）の如く複雑な形状部分が存在しないようになっているため、流路２４に流される流体が髪の毛やタオル屑等の繊維状の異物を含むものであっても、その繊維状の異物のからみつきや付着の発生を可及的に回避することができる。加えて、弁体４自体が磁石５等を内部に埋め込んだ状態で合成樹脂成形により一体に形成されるため、従来の流体スイッチに比べ部品点数を大幅に低減させることができる上に、上記の組み付けの手順においても説明したように蓋体３をハウジング本体２に対し組み付けるだけで、同時に、弁体４を揺動回転自在な状態に組み付けることができる。これにより、流体スイッチの製造を容易に行うことができる。
【００４１】
＜第２実施形態＞
図５は、本発明の第２実施形態に係る熱源機として給湯器付き風呂釜２００を示し、この給湯器付き風呂釜２００はその追い焚き循環路に対し上記第１実施形態の流体スイッチ１を介装させたものである。
【００４２】
上記給湯器付き風呂釜２００として図５には１缶２回路式に構成されたものを示すが、これに限らず、２缶２回路式に構成された給湯器付き風呂釜に上記流体スイッチ１を適用しても同様の作用効果を得ることができる。
【００４３】
上記給湯器付き風呂釜２００は、給湯回路７と、浴槽１００内の湯水の追い焚きを行う追い焚き回路８と、上記給湯回路７及び追い焚き回路８の双方を熱交換加熱するための共通の熱交換缶体９と、これらの各運転作動を制御するコントローラ１０とを備えたものである。
【００４４】
上記給湯回路７は、水道管に接続された入水管路７１から給湯側熱交換器７２に導入された水を共通の燃焼バーナ７３の燃焼熱により熱交換加熱し、加熱後の湯水を出湯管路７４を通して下流端の給湯栓７５まで給湯させるようになっている。
【００４５】
この給湯回路７による給湯運転制御は上記コントローラ１０により行われ、給湯栓７５が開かれて最低作動流量以上の入水流量が検出されると上記燃焼バーナ７３が燃焼作動されて入水を所定温度まで加熱して出湯管路７４に出湯させるようになっている。
【００４６】
上記追い焚き回路８は配管としての循環路８１と、循環ポンプ８２と、追い焚き側熱交換器８３とを備えている。上記循環路８１は浴槽１００内の湯水を上記熱交換器８３に戻す戻り管路８１ａと、熱交換器８３で加熱された湯水を上記浴槽１００に供給する往き管路８１ｂとから構成されている。そして、上記追い焚き回路８においては、上記リモコン１０１の追い焚きスイッチがＯＮ操作されるとコントローラ１０により循環ポンプ８２が作動されて燃焼バーナ７３が燃焼作動されて追い焚き運転制御が行われるようになっている。これにより戻り管路８１ａを通して上記熱交換器８３に戻される浴槽１００内の湯水を上記燃焼バーナ７３の燃焼熱により追い焚き加熱し、加熱後の湯水を往き管路８１ｂを通して再び上記浴槽１００内に供給して追い焚き循環加熱されるようになっている。
【００４７】
この追い焚き運転制御の際に、上記循環ポンプ８２の作動により上記戻り管路８１ａに浴槽１００の湯水が熱交換器８３側に強制的に流されると、上記循環ポンプ８２の下流側位置に介装された流体スイッチ１の弁体４（図１参照）が上記湯水の流れの圧力を受けて閉状態から開状態に位置変換し、これにより、上記流体スイッチ１からコントローラ１０に対しＯＮ信号が出力されることになる。そして、コントローラ１０ではこのＯＮ信号の出力を受けて循環流が生じていることの確認（循環判定）を行い、この循環判定により循環流を確認した上で上記燃焼バーナ７３の燃焼作動を開始させるようになっている。
【００４８】
なお、図５中７６は注湯管路であり、この注湯管路７６は上記給湯回路７からの出湯を上記循環路８１を通して浴槽１００に落とし込み、浴槽１００の湯張りを行うものである。
【００４９】
以上の給湯器付き風呂釜においては、上記流体スイッチ１が第１実施形態の項でも説明したように作動不良や誤動作の発生を可及的に防止して確実に流体の流れを検知し得るようになっているため、上記の追い焚き運転制御を確実に行うことができるようになる。
【００５０】
＜他の実施形態＞
なお、本発明は上記第１及び第２実施形態に限定されるものではなく、その他種々の実施形態を包含するものである。すなわち、上記第１及び第２実施形態での流体スイッチ１では、磁石５と、この磁石５の磁界によりＯＮ信号を出力する近接センサ６との組み合わせにより弁体４の開作動を検知して、これにより、流体の流れを検知するようにしているが、これに限らず、例えば上記弁体４の位置変換をシャフト４２の回転により検知してこのシャフト４２の回転を受けてＯＮ信号を出力するセンサスイッチを配設することにより流体の流れの検知を行うように構成してもよい。
【００５１】
また、上記第１実施形態又は第２実施形態の流体スイッチ１では、弁体４とシャフト４２とを互いに固定して蓋体３側の回転支持部により相対回転自在にしているが、逆にシャフト４２の回転支軸４３を蓋体３側に固定し、その固定された回転支軸４３の回りを弁体が相対回転するように構成してもよい。この場合には、異物等のからみつきや付着の問題がなければ図３に符号４１ｄで示すような切欠部を形成することにより、シャフト４２回りの回転の際の摺動抵抗を低減させることが可能になる。
【００５２】
上記流体スイッチ１の回転支持部を構成する溝部３５の底壁部３５１の形状としては第１実施形態に示す如くＵの字溝形状にしなくても、例えばＶの字溝形状、あるいは、矩形溝形状にしてもよい。要するに、回転支軸４３の径方向への相対移動を線接触や面接触ではなくても点接触により阻止できるようにすれば、相対回転可能に保持し得る。
【００５３】
さらに、上記流体スイッチ１の弁体４を成形するための合成樹脂として抗菌剤を含浸させたものを用いることにより、成形された弁体４に抗菌加工を施すようにしてもよい。特に、第２実施形態のような熱源機に用いる場合には、流れる流体が浴槽１００内の湯水であるため、弁体４での菌の繁殖等を防止して清潔に維持し得る点で好適に適用される。
【図面の簡単な説明】
【図１】  本発明の第１実施形態の流体スイッチを示す縦断面図である。
【図２】  弁体と蓋体との分解斜視図である。
【図３】  図１のＡ−Ａ線における分解状態の断面説明図である。
【図４】  図３のＢ−Ｂ線における拡大断面説明図であり、図４（ａ）は組み付け途中の状態を、図４（ｂ）は組み付け状態をそれぞれ示す。
【図５】  第２実施形態の熱源機を示す模式図である。
【図６】  従来の流体スイッチを示す図１対応図である。
【図７】  図６の弁体の分解斜視図である。
【符号の説明】
１            流体スイッチ
２            ハウジング本体（第１部材；ハウジング）
３            蓋体（第２部材；ハウジング）
４            弁体
５            磁石（重錘）
６            近接センサ
２３          ハウジング本体の開口部
２４          流路
３２          蓋体の開口部
３５          溝部
４２          シャフト
４３          回転支軸（シャフトの突出端部、シャフトの両端部）
８１          循環路（配管）
２００        給湯器付き風呂釜（流体加熱用の熱源機）
２７１        凸部
３５１        底壁部
【図１】
0003838423.tif 000002
【図２】
0003838423.tif 000003
【図３】
0003838423.tif 000004
【図４】
0003838423.tif 000005
【図５】
0003838423.tif 000006
【図６】
0003838423.tif 000007
【図７】
0003838423.tif 000008